(57)【要約】【課題】クランパの回転軸とターンテーブルの回転軸のずれを補償する為の間隔をとることなく、正確にクランパの回転軸をターンテーブルの回転軸に位置決めすることのできるディスク再生装置を提供する。【解決手段】クランパ１は、クランパ保持部２に設けたクランパ保持孔部２２を貫通し、テーパ形状であって、クランパ保持孔部２２の稜線上に接する外面を有するクランパＣ（１３）とクランパＣ（１３）と共にクランパ保持部２を狭持するクランパＢ（１２）とを少なくとも備え、かつクランパＢ（１２）とクランパＣ（１３）とにクランパ保持部２を狭持せしめる狭持手段を設け、クランパ保持部２が狭持されたときに、クランパ１とターンテーブル５との水平方向のずれをδ２とし、ターンテーブル５に対するクランパ保持部２の水平方向のずれをδ２´としたときに実質的にδ２≒δ２´となるようにした。【選択図】　図３
2004118962.tif 000002
【特許請求の範囲】
【請求項１】
ディスクを載置し回転するターンテーブルと、ディスクをターンテーブルに保持するクランパと、クランパを保持するクランパ保持手段とを備えたディスク再生装置において、
前記クランパと前記ターンテーブルとを係合する係合手段を有し、
前記クランパは、前記クランパ保持手段に設けたクランパ保持孔部を貫通し、テーパ形状であって前記クランパ保持孔部の稜線上に接する外面を有するクランパＣと該クランパＣと共に前記クランパ保持手段を狭持するクランパＢとを少なくとも備え、かつ前記クランパＢとクランパＣとに前記クランパ保持手段を狭持せしめる狭持手段を設けたこと
を特徴とするディスク再生装置。
【請求項２】
ディスクを載置し回転するターンテーブルと、ディスクをターンテーブルに保持するクランパと、クランパを保持するクランパ保持手段とを備えたディスク再生装置において、
前記クランパと前記ターンテーブルとを係合する係合手段を有し、
前記クランパは、前記クランパ保持手段に設けたクランパ保持孔部を貫通し、テーパ形状であって前記クランパ保持孔部の稜線上に接する外面を有するクランパＣと該クランパＣと共に前記クランパ保持手段を狭持するクランパＢと、前記クランパＢに対して前記クランパＣの反対側に配置されて該クランパＣに一体とされたクランパＡとを備え、該クランパＡと前記クランパＢとの間に配設されたばねとによって前記クランパＢとクランパＣとに前記クランパ保持手段を狭持せしめる狭持手段が構成されること
を特徴とするディスク再生装置。
【請求項３】
ディスクを載置し回転するターンテーブルと、ディスクをターンテーブルに保持するクランパと、クランパを保持するクランパ保持手段とを備えたディスク再生装置において、
前記クランパは、前記クランパ保持手段に設けたクランパ保持孔部を貫通し、テーパ形状であって、前記クランパ保持孔部の稜線上に接する外面を有するクランパＣと該クランパＢと共に前記クランパ保持手段を狭持するクランパＢと、前記クランパＢに対して前記クランパＣの反対側に配置されて該クランパＣに一体とされたクランパＡとを備え、該クランパＡと前記クランパＢとの間に配設されたばねとによって前記クランパＢとクランパＣとに前記クランパ保持手段を狭持せしめる狭持手段が構成され、前記クランパＢには前記ターンテーブルの方向に延在するピンが設けられ、前記ターンテーブルには該ピンの挿入を受け入れる孔と、該ピンの一定以上の挿入を阻止する阻止手段とが設けられ、前記ピンが前記孔に挿入され、前記阻止手段に当接することによって、前記クランパＢを押し上げて前記狭持手段の狭持を開放するようにして構成した前記クランパと前記ターンテーブルとを係合する係合手段を有すること
を特徴とするディスク再生装置。
【請求項４】
請求項３において、前記クランパＣと前記ターンテーブルとにそれぞれ対向面に磁石を備え、該磁石の吸引力は、前記クランパＣが一定量押し上げられたときに前記ばねの前記クランパＢに対して前記クランパＣを押し上げる力に打ち勝って、前記クランパＣと前記ターンテーブルとはディスクを狭持すること
を特徴とするディスク再生装置。
【請求項５】
ディスクを載置し回転するターンテーブルと、ディスクをターンテーブルに保持するクランパと、クランパを保持するクランパ保持手段とを備えたディスク再生装置において、
前記クランパと前記ターンテーブルとを係合する係合手段を有し、
前記クランパは、前記クランパ保持手段に設けたクランパ保持孔部を貫通し、テーパ形状であって、前記クランパ保持孔部の稜線上に接する外面を有するクランパＣと該クランパＣと共に前記クランパ保持手段を狭持するクランパＢとを少なくとも備え、かつ前記クランパＢとクランパＣとに前記クランパ保持手段を狭持せしめる狭持手段を設け、
前記クランパ保持手段が狭持されたときに、前記クランパと前記ターンテーブルとの水平方向のずれをδ２とし、前記ターンテーブルに対する前記クランパ保持手段の水平方向のずれをδ２´としたときに実質的にδ２≒δ２´になること
を特徴とするディスク再生装置。
【発明の詳細な説明】
【０００１】
【発明の属する技術分野】
本発明は、オーディオデータ、ビデオデータ等が記録されたディスクを再生する再生装置に関する。
【０００２】
【従来の技術】
従来のディスク再生装置は、特許文献１に記載されているようなディスクローディング装置を備え、ディスクに記録されているオーディオデータ、ビデオデータ等を再生するディスク再生装置が知られている。このディスク再生装置は、ディスクをローディングトレイに載置し、ローディングトレイが水平移動することによってディスクの中央を狭持した状態でディスクを回転させ、当該回転させたディスクに光ピックアップがレーザ光を照射し、ディスクからの反射光を受光することによりディスクに記録されたデータを再生する構成となっている。
【０００３】
図８乃至図１０は、従来のディスク再生装置を示す断面図である。従来のディスク再生装置は、クランパＡ、クランパ保持部Ｂ‐１、スピンドルモータ、光ピックアップ、保持部およびローダを備える。ターンテーブルＣは、スピンドルモータの回転シャフトに固定され、当該回転シャフトが回転することによって回転する。保持部は、スピンドルモータと光ピックアップを保持する。クランパＡの中央には、下方に突出するピンＡ−ａが備えられる。ターンテーブルＣには、中央に位置決め孔Ｃ−ｃと、上面に磁性体からなるマグネットＣ−ｄが備えられている。
【０００４】
ディスクを再生するには、始めに、ローダによって、ディスクＤをディスク再生装置の筐体内部に搬送する。次に、クランパ保持部Ｂ−１が図８に示す矢印方向に回転し、ターンテーブルＣが上昇することによって、ディスクＤをクランパＡの下面とターンテーブルＣの上面とで狭持する。この時、クランパＡは、ターンテーブルＣの位置決め孔Ｃ−ｃにクランパＡのピンＡ−ａが嵌入することで、ターンテーブルＣの中央に位置決めされる。次にスピンドルモータが回転することによって、ターンテーブルＣとクランパＡに狭持されたディスクＤが回転することにより、光ピックアップがディスクＤに記録されているデータを読み取る。このようにして、従来のディスク再生装置は、ディスクを再生することができる。
【０００５】
従来のディスク再生装置にあっては、図８に示すように、クランパＡとクランパ保持部Ｂ−１との間に間隔δ１を設け、ディスク再生装置の組み立ての際のターンテーブルＣの回転軸に対するクランパＡの回転軸のずれ分δ２を補償し、ディスクＤをターンテーブルＣとクランパＡとでチャッキング（狭持）後、ディスクＤ回転時にクランパＡとクランパ保持部Ｂ−１との接触を防止していた。
【０００６】
【特許文献１】
特開平６−２５１４８１号公報
【０００７】
【発明が解決しようとする課題】
クランパＡをターンテーブルＣにチャッキングさせる際のセンターずれの許容値が設計上、大きく取れない場合がある。例えば、図８に示すように、クランパＡが自重によりクランパ保持部Ｂ−１に保持され、クランパＡの中心部が、ターンテーブルＣの位置決め孔Ｃ−ｃと嵌合するピンＡ−ａが突出した形状を有している場合には、このピンＡ−ａの先端形状を鋭角にし、すなわち、針のように突き出た形状とすれば、位置決め孔Ｃ−ｃとの嵌入が容易となるが、ディスクＤを再生位置まで搬入する際に、クランパＡのピンＡ−ａとディスクＤ、ターンテーブルＣとの接触を防止する為、クリアランスが必要となり、その為、ピンＡ−ａの先端くさび形状を伸ばして鋭角にすることができず、また、ピンＡ−ａの先端を鋭角状とするのが不可能ならば、ターンテーブルＣの位置決め孔Ｃ−ｃの内壁のテーパを大きくとればよいが、位置決め孔Ｃ−ｃのすぐ外側に配置するクランパＡ吸着用マグネットＣ−ｄの制約を受け、当該テーパを大きく取れない場合などがあり、前記したディスク再生装置組立ての際のターンテーブルＣに対するクランパＡのずれ分δ２およびそれを補償する間隔δ１によりクランパＡのセンター位置が大きくずれ（図９においてδ１＋δ２）、ピンＡ−ａが位置決め孔Ｃ−ｃに嵌入できず、正常にチャッキングできない欠点があった。
【０００８】
また、図１０のように水平面に対してディスクＤがおおよそ垂直となるような状態でディスクＤを再生しようとする場合、従来のディスク再生装置では、クランパＡが傾いた状態でクランパ保持部Ｂ−１に保持されるので、さらにディスクＤのチャッキングが困難な状態となってしまうおそれがあった。
【０００９】
本発明は、かかる点に鑑み、クランパの回転軸とターンテーブルの回転軸のずれを補償する為の間隔を取ることなく、正確にクランパの回転軸をターンテーブルの回転軸に位置決めすることのできるディスク再生装置を提供することを目的とする。
【００１０】
【課題を解決するための手段】
本発明は、クランパ保持手段にクランパ保持孔部を設けてクランパ構成の一部であるクランパＣを貫通させ、該クランパＣにはその外形面にテーパ（すなわち、クランパ断面形状がテーパ）を形成して、一部貫通させた時に、テーパに前記クランパ保持孔部を接触、すなわちクランパ保持孔部の稜線を接触させて自動調芯せしめ、このような状態を形成してクランパとターンテーブルとを契合するようにして、正確にクランパの回転軸をターンテーブルの回転軸に位置決めするようにした。
【００１１】
また、本発明は、ばね（弾性体）によってクランパをクランパ保持孔部に押し付ける構造として、クランパをクランパ保持孔部の正しい位置に着座せしめ、正しい位置設定を行うことができるようにした。
【００１２】
【発明の実施の形態】
以下、本発明の実施例を図面に基づいて説明する。
図１は本発明の実施例のディスク再生装置の構成を示す斜視図、図２は図１の平面図、図３は本発明の実施例を部品毎に示す分解図であり、図４から図６はクランパとターンテーブルとの関係を示し、動作順序を説明する為の断面図である。図１および図２において、クランパ１は、筐体３に固定されたクランパ保持部２（保持手段）に形成されたクランパ保持孔部（後述）に取り付けられる。ローダ４は、凹部を有してディスクを収納し、ディスクを所定の再生位置へ移動させるもので筐体３に摺動可能な状態で保持される。
【００１３】
図３に、クランパ保持部２、クランパ１およびターンテーブル５の構成および配置関係が示される。図３において、クランパ１はクランパＡ（１１）、クランパＢ（１２）クランパＣ（１３）から構成される。クランパ保持部２には、クランパ保持孔２１があけられ、クランパ保持孔部２２が形成される。クランパＡ（１１）およびクランパＢ（１２）はクランパ保持部２の上側に、そしてクランパＣ（１３）は下側にクランパ保持孔２１を中心として対峙して配設される。
【００１４】
クランパＡ（１１）は、円盤部３１と下方に伸びる４つの突起部３２を備える。それぞれの突起は断面扇状をなし、規則正しく離間されて、それぞれ円盤部３１に設けられている。
クランパＢ（１２）は、円盤部３３と突起部３４とからなる。円盤部３３、突起部３４には上方に向かって４つの貫通孔３５が形成してある。それぞれの貫通孔３５は扇状の形状とされる。その形状は、前述の突起部３２の断面形状と同様とされ、規則正しく離間して、それぞれ円盤部３３に設けられる。
【００１５】
クランパＡ（１１）とクランパＢ（１２）の円盤部３１、３３との間であって、突起部３２、３４の周囲には、ばね３６が設けられる。
【００１６】
突起部３２は貫通孔３５に貫通可能にして挿入される。
また、クランパＢ（１２）には下方に向けて細長のピン３７が取り付けてある。
【００１７】
図３に示すように、クランパ保持孔２１の直径に比べて円盤部３１、３３の直径は大きい。
クランパ保持部２の下側にはクランパＣ（１３）が配設され、円盤部４１および上方を向いた突起部４２から形成される。突起部４２は２段からなり、すなわち外面がテーパであるテーパ部４３と、これに連なる小径の円錐部４４とからなる。クランパＣ（１３）にはその中心に小径の貫通孔４５が設けてあり、前述のピン３７の挿入を受け入れる。
【００１８】
従って、円盤部４１の直径はクランパ保持孔２１の直径より大きいが、テーパ部４３の直径は、テーパの形成してある部位でクランパ保持孔２１の直径と同じ直径としてあり、挿入したとき、テーパ部４３はクランパ保持孔２１のクランパ保持孔部２２と当接することになる。当該当接は、テーパ部４３の外面の一部がクランパ保持孔部２２の一部、すなわち稜線に均等に接触することによってなされる。理想的には稜線による線接触であるが、小幅のある面接触とされてもよく、ここでは両者を含めて稜線による接触として取り扱う。
【００１９】
このような構成によって組み立てたときに、クランパＡ（１１）、クランパＢ（１２）、クランパＣ（１３）およびクランパ保持孔２１（クランパ保持孔部２２）の中心線は合致して配設されることになる。すなわち、上記４者の中心はテーパの作用によって合致し、調芯されることになる。
尚、テーパ部４３について付言すれば、断面形状がテーパをなし、その傾斜は下方から上方に向かう。すなわち、クランパ保持孔部２２に対向して形成される。
【００２０】
クランパＣ（１３）の下方には、ターンテーブル５がある。ターンテーブル５は、ディスクを載置する平面５９の形成された円盤部５１と、円盤部５１から突出する突起部５２とから構成される。ターンテーブル５は中心に貫通孔５３が設けてあり、貫通孔部５４が形成される。貫通孔部５４には後述するように、シャフト５５が圧入され、上面が貫通孔部５４内に位置するようにされる。この構成によって、ピン３７が貫通孔４５、５３を挿入されてきた時に、前述のシャフト５５の上面はピン３７に当接し、それ以上の挿入を阻止する。従って、貫通孔部５４に圧入されたシャフト５５はピン３７の一定以上の挿入を阻止する阻止手段として作用することになる。このように、貫通孔５３は位置決め孔として作用し、その上端には傾斜をなす面５６（図４参照）が形成される。
【００２１】
以上のように、クランパ１とターンテーブル５とを係合する係合手段を有し、クランパ１は、クランパ保持手段（クランパ保持部２）に設けたクランパ保持孔部２２を貫通し、テーパ形状であって、クランパ保持孔部２２の稜線上に接する外面を有するクランパＣ（１３）とクランパＣ（１３）と共にクランパ保持手段を狭持するクランパＢとを少なくとも備え、かつクランパＢ（１２）とクランパＣ（１３）とにクランパ保持手段を狭持せしめる狭持手段を設けたディスク再生装置が構成される。
また、クランパＡ（１１）とクランパＣ（１３）との間に配設されたばね３６とによってクランパＢ（１２）とクランパＢ（１２）とにクランパ保持手段を狭持せしめる狭持手段が構成されるディスク再生装置が構成される。
【００２２】
クランパ１をクランパ保持孔部２２にチャッキング、保持させるには、クランパＢ（１２）に設けたピン３７をクランパＣ（１３）の貫通孔４５にクランパ保持部２のクランパ保持孔部２２を介して挿入し、クランパＡ（１１）にばね３６を設置した状態で、突起部３２をクランパＢ（１２）の貫通孔３５に挿入し、クランパＢ（１２）を介してクランパＣ（１３）の上面に固定する。クランパＢ（１２）は、クランパＡ（１１）に対し、水平方向に対してガタがなく、垂直方向に摺動可能な状態で保持される。
【００２３】
図４は、ディスク６をクランパ１がチャッキングする前の状態を示したものであり、ばね３６によってクランパＡ（１１）およびクランパＣ（１３）は弾性力によって矢印方向に押し上げられる。この押し上げに伴って、クランパＣ（１３）のテーパ部４３がクランパ保持孔部２２の稜線上に接することにより、クランパＣ（１３）とクランパ保持孔２１のセンター軸線が一致し、水平方向に対してガタがなく、位置決めされる。
【００２４】
図５は、ディスク６をクランパ１がチャッキングし始める状態を示す。クランパＢ（１２）に対し、ターンテーブル５が上昇すると、クランパＢ（１２）より下方向に突き出たピン３７がターンテーブル５の面５６によってガイドされ、位置決め孔である貫通孔５３に嵌入し、予め所定の深さでターンテーブル５の下方から貫通孔５３に圧入されたシャフト５５の上面と突き当たる。この状態でさらに、ターンテーブル５が上昇するとシャフト５５はピン３７を矢印方向に押し、クランパＢ（１２）をクランパ保持部２から引き離す。クランパＢ（１２）は、ターンテーブル５が回転中、ばね３６の片端がクランパ保持部２と接触して不要な回転負荷、異音および摩耗の発生を防ぐ為に設けられており、上述のようにこの状態において、クランパＢ（１２）はクランパ保持部２と非接触とされる。この状態にあってはまだ、ばね３６の弾性力がターンテーブル５の上面に設置した磁石５７とクランパＣ（１３）の下面に位置する磁性体５８間の吸着力より勝り、クランパＡおよびクランパＣ（１３）はばね力により矢印方向に押し付けられている。
【００２５】
図６は、図５に示す状態からさらにターンテーブル５を接近させ、ディスク６がクランパ１にチャッキングされた状態を示す。図５に示す状態からさらにターンテーブル５を上昇させると、クランパＢ（１２）とクランパ保持部２間の空間距離はさらに増加し、ばね３６には弾性エネルギがさらに蓄積されるが、ターンテーブル５の上部に位置する磁石５７とクランパＣ（１３）下面に位置する磁性体５８間の吸着力がばね３６の弾性力を上回り、クランパＡ（１１）、クランパＣ（１３）をターンテーブル５側に引き寄せる。このとき、ばねの最大弾力＜磁石５７と磁性体５８の吸着力という関係が成立するようにしておく。
【００２６】
クランパＡ（１１）、クランパＣ（１３）がターンテーブル５側に引き寄せられたとき、クランパＣ（１３）のテーパ４３とクランパ保持孔部２２の稜線間には隙間が生成され、ターンテーブル５の回転に伴い、クランパＣ（１３）が回転しても接触することがない。
【００２７】
以上のように、クランパ１は、クランパ保持手段（クランパ保持部２）に設けたクランパ保持孔部２２を貫通し、テーパ形状であって、クランパ保持孔部２２の稜線上に接する外面を有するクランパＣ（１３）と該クランパＣ（１３）と共にクランパ保持手段を狭持するクランパＢ（１２）と、クランパＣ（１３）に対してクランパＢ（１２）の反対側に配置されてクランパＣ（１３）に一体とされたクランパＡ（１１）とを備え、クランパＡ（１１）とクランパＣ（１３）との間に配設されたばね３６とによってクランパＢ（１２）とクランパＣ（１３）とにクランパ保持手段を狭持せしめる狭持手段が構成され、クランパＢ（１２）にはターンテーブル５の方向に延在するピン３７が設けられ、ターンテーブル５にはピン３７の挿入を受け入れる孔（貫通孔５３）と、ピン３７の一定以上の挿入を阻止する阻止手段（シャフト５５）とが設けられ、ピン３７が孔に挿入され、阻止手段に当接することによって、クランパＢ（１２）を押し上げて狭持手段の狭持を開放するようにして構成したクランパ１とターンテーブル５とを係合する係合手段を有するディスク再生装置が構成される。
【００２８】
この場合に、クランパＣ（１３）とターンテーブル５とにそれぞれ対向面に磁石（磁性体を含む）５７、５８を備え、磁石５７、５８の吸引力は、クランパＣ（１３）が一定量押し上げられたときにばね３６のクランパＢ（１２）に対してクランパＡ（１１）を押し上げる力に打ち勝って、クランパ１とターンテーブル５とはディスク６を狭持する。
【００２９】
これらの構成によって、クランパ１とターンテーブル５間に発生する軸ずれは、図７に示すようにディスク再生装置を組み付けたときのターンテーブル５に対するクランパ保持孔部２２のずれ分δ２のみとなる。すなわち、クランパ１とターンテーブル５のずれをδ２とし、ターンテーブル５に対するクランパ保持部２のずれをδ２´としたときにδ２＝δ２´となる。
【００３０】
このように、ディスク６を載置し回転するターンテーブル５と、ディスク６をターンテーブル５に保持するクランパと、およびクランパ１を保持するクランパ保持手段を備えたディスク再生装置において、クランパ１とターンテーブル５とを係合する係合手段を有し、クランパ１は、クランパ保持手段に設けたクランパ保持孔部２２を貫通し、テーパ形状であって、クランパ保持孔部２２の稜線上に接する外面を有するクランパＣ（１３）とクランパＣ（１３）と共にクランパ保持手段を狭持するクランパＢ（１２）とを少なくとも備え、かつクランパＢ（１２）とクランパＣ（１３）とにクランパ保持手段を狭持せしめる狭持手段を設け、クランパ保持手段が狭持されたときに、クランパ１とターンテーブル５との水平方向のずれをδ２とし、前記ターンテーブルに対する前記クランパ保持手段の水平方向のずれをδ２´としたときに実質的にδ２≒δ２´（δ２＝δ２´を含む）になるディスク再生装置が構成される。
【００３１】
【発明の効果】
本発明により、ターンテーブルにクランパをチャッキングさせる際の許容センターずれ値が大きく取れない場合でも、ディスク再生装置を組み立てる際にターンテーブルに対するクランパ組込み時のずれ補償分をとる必要性がなく、ターンテーブルに対するクランパ組込み時のずれ分のみ考慮すればよいので累積組立て誤差が減少し、ディスクのチャッキング動作を正確に行うことができるようになる。また、水平面に対し、ディスクＤが垂直となるような状態でディスクＤを再生しようとするときでもクランパはばねで加圧され、クランパ保持部に押し付けられている為、ディスクと水平な状態として再生するときと同様の性能を発揮できる。
【図面の簡単な説明】
【図１】本発明の実施例の斜視図である。
【図２】図１の平面図である。
【図３】本発明の実施例の全体構成を示す分解図である。
【図４】図１のＡＡ断面図である。（チャッキング前）
【図５】図１のＡＡ断面図である。（チャッキング途中）
【図６】図１のＡＡ断面図である。（チャッキング後）
【図７】最大ずれ時を説明する断面図である。
【図８】従来実施例の断面図である。
【図９】従来実施例の断面図である。
【図１０】従来実施例の断面図である。
【符号の説明】
１…クランパ、２…クランパ保持部、３…筐体、４…ローダ、５…ターンテーブル、６…ディスク、１１…クランパＡ、１２…クランパＢ、１３…クランパＣ、２１…クランパ保持孔、２２…クランパ保持孔部、３６…ばね、３７…ピン、５３…貫通孔（位置決め孔）、５５…シャフト、５７…磁石、５８…磁性体。
【図１】
2004118962.tif 000003
【図２】
2004118962.tif 000004
【図３】
2004118962.tif 000005
【図４】
2004118962.tif 000006
【図５】
2004118962.tif 000007
【図６】
2004118962.tif 000008
【図７】
2004118962.tif 000009
【図８】
2004118962.tif 000010
【図９】
2004118962.tif 000011
【図１０】
2004118962.tif 000012